(57)【要約】      （修正有）【課題】電圧ケーブルを利用して漏洩電流や電力を測定する携帯可能な監視装置において、携帯したままで電圧取り込みの接続作業を行なうことによって電路等に接触する恐れを防止する。【解決手段】収納ケース２４の背面に設けたシート形磁石２５と検出スイッチ１４ａ、１４ｂ、前面に非接触近接スイッチを設け、監視装置を盤などに設置した後、前記監視装置から離れないと監視装置の電源回路を形成せず安全を図った。【選択図】図２
2007292621.tif 000002
【特許請求の範囲】
【請求項１】
被測定回路の電圧を活線で取り込む電圧ケーブルと、漏れ電流を検出する零相検出器（ＺＣＴ）からの電流ケーブルと、前記ケーブルから供給された電圧、電流から電力または漏れ電流を算出する演算装置とを具備した監視装置と、
該監視装置を収納する収納ケースと、
前記収納ケースの背面に設けたシート形磁石と、
前記監視装置の背面に前記収納ケースと前記シート形磁石を貫く形で配置した検出スイッチと、
前記監視装置の前面に配置した非接触近接スイッチを設け、
前記検出スイッチと前記非接触近接スイッチが直列に接続されたことを特徴とする携帯形の監視装置。
【請求項２】
請求項１記載において、検出スイッチを少なくとも１つ設け、概ね片手の指で操作不可能な距離に配置したことを特徴とする請求項１記載の携帯形の監視装置。
【発明の詳細な説明】
【技術分野】
【０００１】
本発明は、配電系統の漏れ電流の探査または電力の探査時の安全技術に関する。
【背景技術】
【０００２】
配電系統では漏電防止や感電防止のために絶縁状態を定期的に測定しているが、従来は停電してケーブル（電線）や設備のメガリング（絶縁抵抗測定）を行っていた。近年では停電しないで、リークテスタや漏れ電流探査器により漏れ電流を活線で測定するようになっている。しかしこの活線時の作業は、測定時誤って電路に接触する恐れがあるという問題点があった。即ち、収納ケースに入れて携帯が可能であるため首にぶら下げたり、片手で持ったりした状態で測定用のケーブルを接続するので不安定作業となるためである。また、電力の探査は、従来常設の電力監視システム等により主要部を計測するのが主流であるため、末端の設備の電力を測定する場合も、前記同様持ち運びが可能な測定装置で測定している。これらを解決する手段として特許文献１（特開平８−２５４５６６号公報）があげられる。
【０００３】
【特許文献１】特開平８−２５４５６６号公報
【発明の開示】
【発明が解決しようとする課題】
【０００４】
上記した公知例では、電路の中性点接続方式であるためさほど問題はないが、他の方式では、一般に電路電圧を取り込む方式が多い。図５はこの一例で、１は変圧器、２ａ、２ｂは遮断器、３は測定しようとする電路、４は負荷設備、５は携帯可能な監視装置、６は非測定回路の電路電圧を取り込む電圧ケーブル、７は遮断器等の端子部、８は漏れ電流を検出する零相変流器（ＺＣＴ）であり電路の各相をまとめてクランプする。また、電力測定においては、前記零相変流器の替わりに計器用変流器（ＣＴ）を用いて各相にクランプして行なう。低圧回路の電路電圧は、交流１００Ｖや２００Ｖであり、特に２００Ｖは近接作業であっても注意をしなければならない。監視装置５がコンパクトになるに従い、携帯したままで電圧取り込みの接続作業を行なうことも可能であるため、不安定な作業となりさらに注意を払わなければならないという問題点があった。また長期間の使用すると、電圧ケーブル６と監視装置５の接続部のケーブル被覆の劣化・損傷などにより、監視装置５に漏電接触する恐れもある。本発明の目的はこれらの問題点を解決することにある。
【課題を解決するための手段】
【０００５】
被測定回路の電圧を活線で取り込む電圧ケーブルと、漏れ電流を検出する零相検出器（ＺＣＴ）からの電流ケーブルと、前記ケーブルから供給された電圧、電流から電力または漏れ電流を算出する演算装置とを具備した監視装置と、該監視装置を収納する収納ケースと、前記収納ケースの背面に設けたシート形磁石と、前記監視装置の背面に前記収納ケースと前記シート形磁石を貫くかたちで配置した検出スイッチと、前記監視装置の前面に配置した非接触近接スイッチを設け、前記検出スイッチと前記非接触近接スイッチの接点を直列接続したことである。
【０００６】
また、前記検出スイッチは、片手の指では操作できない距離に配置したことである。
【０００７】
また、前記非接触近接スイッチの動作距離を概ね１０ｃｍとしたことである。
【発明の効果】
【０００８】
即ち、測定者は配電盤等に監視装置を吸着設置したうえで、監視装置から所定の距離以上離れなければ電路からの電圧取り込み回路を形成せず、携帯したままでの電圧ケーブルの接続作業がなくなり、安定した姿勢での作業が行なえ安全を保つことができる。
【発明を実施するための最良の形態】
【０００９】
以下本発明の実施例を図１乃至図６により説明する。
【実施例１】
【００１０】
本発明の実施例を図１乃至図４により説明する。図１は、本発明の一実施例を示す漏洩電流の監視を行なう監視装置の構成図である。１０は監視装置本体、１１は電圧ケーブルを接続するコネクタ、１２は変流器を接続するコネクタ、１３はヒューズ、１４ａは本発明の特徴である検出スイッチで、押しボタンスイッチを２つ設けたものである。１５は電源スイッチで、電池２３の電圧を前記演算制御部２０及び前記増幅部２２ｂに供給するためのものである。１６は各部に電源を供給する電源部、１７は内部回路に適した電圧に降圧用の補助変圧器、１８、１９は入力部で信号の増幅などを行い、２０は演算制御部で、前記した漏洩電流を計算し、基本波漏れ電流や、基本波の有効分などを算出するとともに、前記算出結果を表示器２１に表示を行なうものである。２２ａは非接触近接スイッチのセンサ部で、光電形のセンサであり、２２ｂは前記非接触近接スイッチの信号を増幅するための増幅部で信号増幅を行い、２２ｃ（ｂ接点）の接点を駆動する機能とともに前記演算制御部２０に接続される。
【００１１】
図２は、本発明の漏洩電流の監視を行なう監視装置本体１０を収納ケース２４に収納した背面からの斜視図を示し、１１は電圧ケーブルを接続するコネクタ、１２は変流器を接続するコネクタ、１３はヒューズ、１４ａ、１４ｂは片手の指が届かない距離に設けた２つの検出スイッチで、監視装置本体１０に設けられ、収納ケース２４とシート状磁石２５を貫いて背面に操作部（接触部）が突起している。
【００１２】
図３は、本発明の監視装置本体１０を収納ケース２４に収納した正面からの斜視図を示し、２１は表示部、２２は本発明の特徴である非接触近接スイッチである。
【００１３】
図４は、配電盤２６の表面に本発明の監視装置本体１０を収納ケースに収納したままで設置した一例を示す図である。
【００１４】
上記実施例の設置作業と監視装置１０の動作について説明すると、まず測定者は電路３の漏れ電流測定に先立って、電源スイッチ１５をＯＮすると、電池により演算制御部２０及び増幅部２３に電圧が供給されと、非接触近接スイッチ２２ａにより、測定者が致近距離にいることが検出され、増幅部２２ｂにより接点２２ｃがＯＮとなる。接点２２ｃはｂ接点であるため接点間は非導通である。次に、増幅部２２ｂの信号により演算制御部２０は表示器（液晶表示器）２１に警告メッセージを表示する。このメッセージは収納ケース２４に収納した“監視装置を配電盤等に設置しなさい“というメッセージである。次に作業者は監視装置を配電盤２６の表面に工具を使用することなく磁石２５により取付けると、監視装置本体１０に設けた検出スイッチ１４ａ、１４ｂが前記配電盤２６に接触して押されＯＮとなる。次に測定者が監視装置本体１０から離れると、非接触近接スイッチ２２ａが検出しなくなり、接点２２ｃがＯＦＦ（導通）状態となる。そして、電路３の電圧を取り込むべく遮断器２ｂの端子部７に電圧ケーブル６を接続する。
【００１５】
以上の動作により、電圧ケーブル接続コネクタ１１からの電源回路が導通状態となり、測定の準備が整った状態となる。測定者は収納ケース２４を持つ必要がなく、安全な姿勢で電路に電圧ケーブルを接続する作業が出来る。反対に、手に持ったような場合は、監視装置として機能せず必ず設置した状態での測定になる。
【００１６】
以上は漏洩電流について説明したが、電力の探査についても同様技術により実現できるので省略する。
【００１７】
また、前記監視装置１０を配電盤に吸着設置させる時、見やすい高さに設置することが容易に行なえるため読み取り作業が効率よく行なえる。
【００１８】
また、監視装置を床置きする必要がなく装置の汚れもなくなる。
【産業上の利用可能性】
【００１９】
携帯可能な監視装置は、漏洩電流の漏洩場所探査に適しており、漏電を未然に防止するために有効である。また、電力の探査は、省エネルギーを推進する場合、負荷設備毎の使用実態、分電盤単位の使用実態などを把握し、省エネルギー対策の基データなどとして有効である。
【図面の簡単な説明】
【００２０】
【図１】本発明の一実施例を示す漏洩電流の監視を行なう監視装置の構成図。
【図２】本発明による漏洩電流の監視を行なう監視装置本体１０を収納ケース２４に収納した背面からの斜視図。
【図３】本発明による漏洩電流の監視を行なう監視装置本体１０を収納ケース２４に収納した正面からの斜視図。
【図４】配電盤２６の表面に本発明の監視装置本体１０を収納ケース２４に収納したままで設置した一例を示す図。
【図５】従来方法を説明するための図。
【符号の説明】
【００２１】
１０‥監視装置本体、
１４ａ,１４ｂ‥検出スイッチ
２２‥非接触近接スイッチ
２２ａ‥非接触近接スイッチのセンサ部
２２ｂ‥非接触近接スイッチの増幅部
２２ｃ‥非接触近接スイッチの接点部
２５‥シート状磁石
【図１】
2007292621.tif 000003
【図２】
2007292621.tif 000004
【図３】
2007292621.tif 000005
【図４】
2007292621.tif 000006
【図５】
2007292621.tif 000007